(57)【要約】【課題】  取り扱い性がよく、嵌合操作性に優れ、寸法のばらつきを吸収することができ、高い接続信頼性を保つことができるコネクタ装置を提供すること。【解決手段】  コネクタ装置のソケットは、コンタクト１０と、係止部材２０と、該コンタクト及び該係止部材２０を保持するハウジング３０とを有し、第１及び第２接続対象物５０，６０を前記ハウジング３０の収容部３１に挿入した際に、前記第１接続対象物５０の係止部５２と前記係止部材２０の第１係止バネ部２４のロック部２４ａとが係合し、前記コンタクト１０の第２接触部１５ａと前記ロック部２４ａとにより前記第１接続対象物５０と前記第２接続対象物６０とを挟持する。【選択図】    図１
2007242598.tif 000002
【特許請求の範囲】
【請求項１】
第１接続対象物及び第２接続対象物間を接続するソケットを含むコネクタ装置において、
前記ソケットは、コンタクトと、係止部材と、前記コンタクト及び前記係止部材を保持固定するハウジングとを有し、
前記コンタクトは第１バネ部と、第２バネ部とを有し、
前記第１バネ部は前記第１接続対象物と接続する第１接触部を有し、
前記第２バネ部は前記第２接続対象物と接続する第２接触部を有し、
前記係止部材は第１係止バネ部を有し、
前記第１係止バネ部は前記第１接続対象物に形成されている係止部と係止するロック部を有し、
前記ハウジングは前記第１及び第２接続対象物を収容する収容部を有し、
前記第１接続対象物は第１接続部と、前記係止部とを有し、
前記係止部は、前記第１接続対象物を前記ハウジングへ嵌合する嵌合方向と交差する方向における平面に形成されており、
前記第１及び第２接続対象物を前記収容部に挿入した際に前記係止部と前記ロック部とが係合し、前記第２接触部と前記ロック部とにより前記第１接続対象物と前記第２接続対象物とを挟持することを特徴とするコネクタ装置。
【請求項２】
請求項１記載のコネクタ装置において、前記係止部は第２接続部を有し、前記ロック部と前記第２接続部とが当接して電気的に接続することを特徴とするコネクタ装置。
【請求項３】
請求項２記載のコネクタ装置において、前記第１係止バネ部は接続部を有し、前記係止部は第３接続部を有し、前記第３接続部が前記第１接続対象物の嵌合方向と平行方向となる平面に形成されており、前記係止部と前記係止部材とが係合した際に、前記接続部と前記第３接続部とが接触することを特徴とするコネクタ装置。
【請求項４】
請求項１記載のコネクタ装置において、前記係止部材は第２係止バネ部を有し、前記第２係止バネ部は前記第２接続対象物と接続する接触部を有することを特徴とするコネクタ装置。
【請求項５】
請求項１記載のコネクタ装置において、前記コンタクトは、前記第１接続対象物の嵌合・離脱方向に所定距離だけ移動可能に前記ハウジングに保持されていることを特徴とするコネクタ装置。
【請求項６】
請求項１記載のコネクタ装置において、前記係止部は前記第１接続対象物の側壁面に位置していることを特徴とするコネクタ装置。
【請求項７】
請求項１記載のコネクタ装置において、前記係止部は前記第１接続対象物の上面に位置していることを特徴とするコネクタ装置。
【発明の詳細な説明】
【技術分野】
【０００１】
本発明は、接続対象物とソケットを含むコネクタ装置に関し、特に、接続対象物間を接続するソケットに関する。
【背景技術】
【０００２】
従来技術としては、基板にカメラモジュールが組み込まれてなるカメラモジュールの実装構造が知られている。カメラモジュールの実装構造では、接点端子が形成された基板がカメラモジュールとコネクタハウジングとによって挟み込まれ、カメラモジュールが基板に対して取り付け固定されるとともに、カメラモジュールの接続端子部に基板に形成された接点端子が接触固定される。
【０００３】
カメラモジュールは、基板とともにコネクタハウジングに嵌め込まれる。この嵌め込みの際に、基板に設けられた接点端子は、カメラモジュールとコネクタハウジングの間でほぼ９０度折り曲げられ、カメラモジュールの周面とコネクタハウジングの立ち上がり壁の内面との間に挟み込まれる（例えば、特許文献１を参照）。
【０００４】
【特許文献１】特開２００４−３２７２９８号公報
【発明の開示】
【発明が解決しようとする課題】
【０００５】
特許文献１は、基板が単体であり、端子が破損しやすく、嵌合操作性が悪く、基板の端子を直接カメラモジュールによって押し付けるので、接続信頼性に劣るという問題がある。
【０００６】
それ故に、本発明の課題は、第２接続対象物の取り扱い性がよく、嵌合操作性に優れているコネクタ装置を提供することにある。
【０００７】
また、本発明の他の課題は、係止部材や第２接続対象物の寸法のばらつきを吸収することができ、高い接続信頼性を保つことができるコネクタ装置を提供することにある。
【課題を解決するための手段】
【０００８】
本発明は、第１接続対象物及び第２接続対象物間を接続するソケットを含むコネクタ装置において、前記ソケットは、コンタクトと、係止部材と、前記コンタクト及び前記係止部材を保持固定するハウジングとを有し、前記コンタクトは第１バネ部と、第２バネ部とを有し、前記第１バネ部は前記第１接続対象物と接続する第１接触部を有し、前記第２バネ部は前記第２接続対象物と接続する第２接触部を有し、前記係止部材は第１係止バネ部を有し、前記第１係止バネ部は前記第１接続対象物に形成されている係止部と係止するロック部を有し、前記ハウジングは前記第１及び第２接続対象物を収容する収容部を有し、前記第１接続対象物は第１接続部と、前記係止部とを有し、前記係止部は、前記第１接続対象物を前記ハウジングへ嵌合する嵌合方向と交差する方向における平面に形成されており、前記第１及び第２接続対象物を前記収容部に挿入した際に前記係止部と前記ロック部とが係合し、前記第２接触部と前記ロック部とにより前記第１接続対象物と前記第２接続対象物とを挟持することを特徴とするコネクタ装置であることを最も主要な特徴とする。
【発明の効果】
【０００９】
本発明によれば、第２接続対象物の接点端子部が底面となるように第１接続対象物に重ねて嵌合することにより、コンタクトが第１及び第２接続対象物間を電気的に接続するので、一般的な第２接続対象物を用いることができ、第２接続対象物の取り扱い性がよく、嵌合操作性に優れているコネクタ装置を提供できる。
【００１０】
また、コンタクトは、バネ部に接触部を有するので、係止部材や第２接続対象物の寸法のばらつきを吸収することができ、高い接続信頼性を保つことができる。
【発明を実施するための最良の形態】
【００１１】
本発明のコネクタ装置は、第１接続対象物及び第２接続対象物間を接続するソケットを含むコネクタ装置において、前記ソケットは、コンタクトと、係止部材と、前記コンタクト及び前記係止部材を保持固定するハウジングとを有し、前記コンタクトは第１バネ部と、第２バネ部とを有し、前記第１バネ部は前記第１接続対象物と接続する第１接触部を有し、前記第２バネ部は前記第２接続対象物と接続する第２接触部を有し、前記係止部材は第１係止バネ部を有し、前記第１係止バネ部は前記第１接続対象物に形成されている係止部と係止するロック部を有し、前記ハウジングは前記第１及び第２接続対象物を収容する収容部を有し、前記第１接続対象物は第１接続部と、前記係止部とを有し、前記係止部は、前記第１接続対象物を前記ハウジングへ嵌合する嵌合方向と交差する方向における平面に形成されており、前記第１及び第２接続対象物を前記収容部に挿入した際に前記係止部と前記ロック部とが係合し、前記第２接触部と前記ロック部とにより前記第１接続対象物と前記第２接続対象物とを挟持することにより実現した。
【実施例１】
【００１２】
図１は、本発明に係るソケットを含むコネクタ装置の実施例１を示しており、ソケットと、このソケットによって接続する第１及び第２接続対象物と、シェルとを分解した状態で示している。図２乃至図４は、ソケットを組み立てた状態を示している。
【００１３】
図１乃至図４を参照して、ソケット１は、複数の導電性のコンタクト１０と、ラッチとも呼ばれている複数の導電性の係止部材２０と、コンタクト１０及び係止部材２０を保持しているハウジング３０とを有している。
【００１４】
ソケット１は、第１接続対象物５０と第２接続対象物６０とが図１に矢印Ａによって示した嵌合方向Ａで収容されて相互に電気的に接続するものである。なお、第１接続対象物５０と第２接続対象物６０とは、嵌合方向Ａとは逆向きの離脱方向（図１に矢印Ｂによって示した）でソケット１から離脱することが可能である。
【００１５】
第１接続対象物５０としては、例えば、カメラモジュールもしくはＩＣパッケージなどがある。第２接続対象物６０としては、例えば、ＦＰＣ（フレキシブル・プリンテッド・サーキット）もしくはＰＣＢ（プリント・サーキット・ボード）などがある。
【００１６】
コンタクト１０は、図５にも示すように、保持部１１と、保持部１１の一側に連設されて保持部１１に対向するように延びている第１バネ部１４と、保持部１１の他側に連設されて第１バネ部１４の先端に対向する位置から第１バネ部１４の先端を越えるように傾斜して延びている第２バネ部１５とを有する。
【００１７】
第１バネ部１４の自由端部には、第１接続対象物５０と接続する第１接触部１４ａが形成されている。第２バネ部１５の自由端部には、第２接続対象物６０と接続する第２接触部１５ａが形成されている。
【００１８】
係止部材２０は、図６（Ａ）及び図６（Ｂ）にも示すように、係止保持部２１と、係止保持部２１の一側に連設されて係止保持部２１に対向するように延びている第１係止バネ部２４と、係止保持部２１の他端に連設されて第１係止バネ部２４の先端に対向する位置から第１係止バネ部２４の先端を越えるように傾斜して延びている第２係止バネ部２５とを有する。
【００１９】
第１係止バネ部２４には、第１接続対象物５０を係止するロック部２４ａが形成されている。ロック部２４ａは、一端が第１係止バネ部２４に接続されており、第１係止バネ部２４の板面を切り起こし形成した部分である。第１係止バネ部２４の自由端は、第１接続対象物５０と接続する接続部２４ｂとなっている。第２係止バネ部２５の自由端部には、第２接続対象物６０と接続する接触部２５ａが形成されている。
【００２０】
ハウジング３０は、図１乃至図４、図５及び図６（Ａ）に示したように、相対向している一対の第１側壁部３０ａと、一対の第１側壁部３０ａに接続し相対向している一対の第２側壁部３０ｂと、第１側壁部３０ａ及び第２側壁部３０ｂの底側を封止するように設けられている底部３０ｃとによって形成されている収容部３１を有する。
【００２１】
ハウジング３０は、底部３０ｃの上方が開口された筐体であり、収容部３１には、第１接続対象物５０及び第２接続対象物６０が収容される。第２側壁部３０ｂの一方には、第２接続対象物６０の導通部６０ａを導通させる切欠き部３０ｅが形成されている。
【００２２】
ハウジング３０には、第１接続対象物５０及び第２接続対象物６０の嵌合・離脱方向Ａ、Ｂへ所定距離だけ移動可能にコンタクト１０が保持されている。コンタクト１０の保持部１１は、第１側壁部３０ａのそれぞれに保持されている。係止部材２０の係止保持部２１は、一対の第２側壁部３０ｂに保持されている。
【００２３】
第１側壁部３０ａの内面には、複数の長溝３２ａが互いに間隔をもって形成されている。第１側壁部３０ａと連接している底部３０ｃには、長溝３２ａに連設した複数の長穴３２ｂが形成されている。長溝３２ａには、コンタクト１０の保持部１１と、第１バネ部１４の自由端部を除く部分が一対一に配設されている。長穴３２ｂには、保持部１１と第２バネ部１５との接続部分と第２バネ部１５とが配設されている。
【００２４】
第２側壁部３０ｂの内面には、複数の長溝３３ａが互いに間隔をもって形成されている。第２側壁部３０ｂと連接している底部３０ｃには、長溝３３ａに連設している複数の長穴３３ｂが形成されている。長溝３３ａには、係止部材２０の係止保持部２１と、第１係止バネ部２４の自由端部及びロック部２４ａの自由端部を除く部分が一対一に配設されている。長穴３３ｂには、係止保持部２１と第２係止バネ部２５との接続部分と第２係止バネ部２５とが配設されている。
【００２５】
第１接続対象物５０は、ほぼ立方体形状を呈している。第１接続対象物５０は、図７乃至図９にも示すように、相対向する一対の第１接続側壁部５０ａと、相対向する第２接続側壁部５０ｄのそれぞれの下部に設けられている第１接続部（電極）５１ａと、係止部材２０の第１係止バネ部２４に形成されているロック部２４ａに嵌合方向Ａで係止する係止部５２とを有する。
【００２６】
第１接続側壁部５０ａには、上面５０ｂから底面側へ嵌合方向Ａと直交する両端部側に凹部５０ｃが形成されている。凹部５０ｃは、第１接続側壁部５０ａよりも低い位置にあるので、第１接続側壁部５０ａの下部側の面と凹部５０ｃとの境部分が段差になっており、この段差の部分の面が係止部５２となっている。
【００２７】
係止部５２には、段差の部分の面に設けられている第２接続部（電極）５２ａと、第２接続部（電極）５２ａに続き第１接続側壁部５０ａの下部側に設けられている第３接続部（電極）５２ｂとを有する。
【００２８】
第２接続部５２ａは、第１接続対象物５０の挿入方向と交差する方向における平面に形成されている。第３接続部５２ｂは、第１接続対象物５０の嵌合方向Ａと平行する方向に形成されている。
【００２９】
なお、第１接続対象物５０がカメラモジュールである場合には、上面５０ｂの中央にレンズ５７を有する。カメラモジュールでは第２及び第３接続部５２ａ，５２ｂが電源やカメラの動作等を制御するために接続される電極となる。
【００３０】
第２接続対象物６０は、図１０にも示すように、フレキシブル基板６５の表面の一対の側辺に配設されている複数の接点端子部６１と、接点端子部６１が接続されている配線パターン６２と、接点端子部６１を配設した一対の側辺に直交する一辺の表面に配設されている端子部６３とを有している。
【００３１】
接点端子部６１及び端子部６３は、例えば、フレキシブル基板６５の表面に張り合わされ銅箔などを他の配線パターン６２と同時にエッチングすることにより配線パターン６２の一部として形成することができ、又、基板材料であるポリイミド樹脂の表面の一部を溶解除去することによって基板から突出する形に形成することができる。
【００３２】
ハウジング３０に、第２接続対象物６０の接点端子部６１、配線パターン６２、端子部６３が底面になるように第１接続対象物５０に重ねて嵌合することによって、コンタクト１０により電気的接続を行う。
【００３３】
第１接続対象物５０及び第２接続対象物６０を収容部３１に嵌合方向Ａで挿入したときには、第１接続対象物５０の係止部５２と係止部材２０のロック部２４ａとが係合する。この際、係止部５２の第２接続部５２ａと係止部材２０のロック部２４ａとは相互に当接して電気的に接続し、コンタクト１０の第２接触部１５ａと第１接続対象物５０とにより第２接続対象物６０を挟持する。
【００３４】
第１接続対象物５０がハウジング３０内に収容されて収容部３１において嵌合したときには、第１接続対象物５０を収容状態でロックを行う係止部材２０が、コンタクト１０の接触力の反力を受ける。
【００３５】
したがって、第２接続対象物６０の接点端子部６１が底面になるように第１接続対象物５０に重なる形で嵌合させることで、第１接触部１４ａと第１接続部５１ａ、第２接触部１５ａと第２接続対象物６０の接点端子部６１とが接触し、第１接続部５１ａと第２接続対象物６０の接点端子部６１の電気的接続を行う。
【００３６】
さらに、嵌合時には、係止部材２０の接続部２４ｂと係止部５２の第３接続部５２ｂ，係止部材２０の接触部２５ａと第２接続対象物６０の端子部６３とが接触し、第２接続部５２ａ又は第３接続部５２ｂと第２接続対象物６０の端子部６３の電気的接続を行う。
【００３７】
ハウジング３０に第１及び第２接続対象物５０，６０を嵌合した後は、ハウジング３０の上部の開口、第１及び第２側壁部３０ａ，３０ｂの外側を覆うようにシェル７０を被せる。シェル７０には、相対向する一対の側板部７１に係合孔７３が形成されている。シェル７０の係合孔７３は、ハウジング３０の第１側壁部３０ａの外面から突出するように形成されている係合部３５に係合させることによって、シェル７０がハウジング３０に保持され、又、第１及び第２接続対象物５０，６０を保持する。
【００３８】
なお、第１接続対象物５０の係止部５２は、第１接続対象物５０の上面５０ｂに位置させて第２接続部５２ａを上面５０ｂに設けて、コンタクト１０のロック部２４ａを当接するようにしてもよい。
【実施例２】
【００３９】
図１１は、本発明に係るソケットを含むコネクタ装置の実施例２を示しており、ソケットと、ソケットによって接続する第１及び第２接続対象物と、シェルとを分解した状態で示している。図１２乃至図１４は、ソケットを組み立てた状態を示している。
【００４０】
図１１乃至図１４を参照して、ソケット１００は、複数の導電性のコンタクト１１０と、複数の係止部材１２０と、コンタクト１１０及び係止部材１２０を保持しているハウジング１３０とを有している。
【００４１】
ソケット１００は、第１接続対象物１５０と第２接続対象物１６０とが図１１に矢印Ａによって示した嵌合方向Ａで収容されて相互に電気的に接続するものである。なお、第１接続対象物１５０と第２接続対象物１６０とは、嵌合方向Ａとは逆向きの離脱方向（図１に矢印Ｂによって示した）でソケット１から離脱させることが可能である。
【００４２】
第１接続対象物１５０としては、例えば、カメラモジュールもしくはパッケージなどがある。第２接続対象物１６０としては、例えば、ＦＰＣ（フレキシブル・プリンテッド・サーキット）もしくはＰＣＢ（プリント・サーキット・ボード）などがある。
【００４３】
コンタクト１１０は、図１５にも示すように、保持部１１１と、保持部１１１の一側に連設されて保持部１１１に対向するように延びている第１バネ部１１４と、保持部１１１の他側に連設されて第１バネ部１１４の先端に対向する位置から第１バネ部１１４の先端を越えるように傾斜して延びている第２バネ部１１５とを有する。
【００４４】
第１バネ部１１４の自由端部には、第１接続対象物１５０と接続する第１接触部１１４ａが形成されている。第２バネ部１１５の自由端部には、第２接続対象物１６０と接続する第２接触部１１５ａが形成されている。保持部１１１には、保持部１１１の板面に一端が接続されて保持部１１１の板面から突出するように延びているランス１１３が形成されている。
【００４５】
ランス１１３は、コンタクト１１０をハウジング１３０に対して、第１接続対象物１５０を挿入する嵌合方向Ａに所定距離だけ移動可能にハウジング１３０に係止している。
【００４６】
係止部材１２０は、図１６にも示すように、係止保持部１２１と、係止保持部１２１の一側に連設されて係止保持部１２１に対向するように延びている第１係止バネ部１２４と、係止保持部１２１の他端に連設されて第１係止バネ部１２４の先端に対向する位置から第１係止バネ部１２４の先端を越えるように傾斜して延びている第２係止バネ部１２５とを有する。
【００４７】
第１係止バネ部１２４には、第１接続対象物１５０を係止するロック部１２４ａが形成されている。ロック部１２４ａは、一端が第１係止バネ部１２４に接続されており、第１係止バネ部１２４の板面を切り起こし形成した部分である。第１係止バネ部１２４の自由端は、第１接続対象物１５０と接続する接続部１２４ｂとなっている。第２係止バネ部１２５の自由端部には、第２接続対象物１６０と接続する接触部１２５ａが形成されている。
【００４８】
ハウジング１３０は、図１１乃至図１４、図１５及び図１６に示したように、相対向している一対の第１側壁部１３０ａと、一対の第１側壁部１３０ａに接続し相対向している一対の第２側壁部１３０ｂと、第１側壁部１３０ａ及び第２側壁部１３０ｂの底側を封止するように設けられている底部１３０ｃとによって形成されている収容部１３１を有する。
【００４９】
ハウジング１３０は、底部１３０ｃの上方が開口された筐体であり、収容部１３１には、第１接続対象物１５０及び第２接続対象物１６０が収容される。第２側壁部１３０ｂの一方には、第２接続対象物１６０の導通部１６０ａを導通させる切欠き部１３０ｅが形成されている。
【００５０】
ハウジング１３０には、第１接続対象物１５０及び第２接続対象物１６０の嵌合・離脱方向Ａ、Ｂへ所定距離だけ移動可能にコンタクト１１０が保持されている。コンタクト１１０の保持部１１１は、第１側壁部１３０ａのそれぞれに保持されている。係止部材１２０の係止保持部１２１は、一対の第２側壁部１３０ｂに保持されている。
【００５１】
第１側壁部１３０ａの内面には、複数の長溝１３２ａとランス１１３が入り込むランス係止穴１３２とがコンタクト１１０を配列する方向で互いに間隔をもって形成されている。第１側壁部１３０ａと連接している底部１３０ｃには、長溝１３２ａに連設した複数の長穴１３２ｂが形成されている。長溝１３２ａには、コンタクト１１０の保持部１１１と、第１バネ部１１４の自由端部を除く部分が一対一に配設されている。長穴１３２ｂには、保持部１１１と第２バネ部１１５との接続部分と第２バネ部１１５とが配設されている。
【００５２】
一対の第２側壁部１３０ｂのそれぞれの内面には、長溝１３３ａが形成されている。第２側壁部１３０ｂと連接している底部１３０ｃには、長溝１３３ａに連設した長穴１３３ｂが形成されている。長溝１３３ａには、係止部材１２０の係止保持部１２１と、第１係止バネ部１２４の自由端部及びロック部１２４ａの自由端部を除く部分が一対一に配設されている。長穴１３３ｂには、係止保持部１２１と第２係止バネ部１２５との接続部分と第２係止バネ部１２５とが配設されている。
【００５３】
第１接続対象物１５０は、ほぼ立方体形状を呈している。第１接続対象物１５０は、図１７乃至図１９にも示すように、相対向する一対の第１接続側壁部１５０ａと、相対向する一対の第２接続側壁部１５０ｄのそれぞれの下部に設けられている第１接続部（電極）１５１ａと、係止部材１２０の第１係止バネ部１２４に形成されているロック部１２４ａに嵌合方向Ａで係止する係止部１５２とを有する。
【００５４】
第１接続側壁部１５０ａには、上面１５０ｂから底面側へ嵌合方向Ａと直交する端部側に凹部１５０ｃが形成されている。凹部１５０ｃは、第１接続側壁部１５０ａよりも低い位置にあるので、第１接続側壁部１５０ａの下部側の面と凹部１５０ｃとの境部分が段差になっており、この段差の部分の面が係止部１５２となっている。
【００５５】
係止部１５２には、段差の部分の面に設けられている第２接続部（電極）１５２ａと、第２接続部（電極）１５２ａに続き第１接続側壁部１５０ａの下部側に設けられている第３接続部（電極）１５２ｂとを有する。
【００５６】
第２接続部１５２ａは、第１接続対象物１５０の挿入方向と交差する方向における平面に形成されている。第３接続部１５２ｂは、第１接続対象物１５０の嵌合方向Ａと平行する方向に形成されている。
【００５７】
なお、第１接続対象物１５０がカメラモジュールである場合には、上面１５０ｂの中央にレンズ１５７を有する。カメラモジュールでは第２及び第３接続部１５２ａ，１５２ｂが電源やカメラの動作等を制御するために接続される電極となる。
【００５８】
第２接続対象物１６０は、図２０にも示すように、フレキシブル基板１６５の表面の一対の側辺に配設されている複数の接点端子部１６１と、接点端子部１６１が接続されている配線パターン１６２と、接点端子部１６１を配設した一対の側辺に直交する一辺の表面に配設されている端子部１６３とを有している。
【００５９】
接点端子部１６１及び端子部１６３は、例えば、フレキシブル基板１６５の表面に張り合わされ銅箔などを他の配線パターン１６２と同時にエッチングすることにより配線パターン１６２の一部として形成することができ、又、基板材料であるポリイミド樹脂の表面の一部を溶解除去することによって基板から突出する形に形成することができる。
【００６０】
コンタクト１１０は、長穴１３２ｂからハウジング１３０へ挿入され、ランス１１３をランス係止穴１３２に入り込ませた際に、ランス１１３の先端がランス係止穴１３２の下端面に当接することによって嵌合方向Ａへの移動が阻止される。
【００６１】
ハウジング１３０に、第２接続対象物１６０の接点端子部１６１、配線パターン１６２、端子部１６３が底面になるように第１接続対象物１５０に重ねて嵌合することによって、コンタクト１１０により電気的接続を行う。
【００６２】
第１接続対象物１５０及び第２接続対象物１６０を収容部１３１に嵌合方向Ａで挿入したときには、第１接続対象物１５０の係止部１５２と係止部材１２０のロック部１２４ａとが係合する。この際、係止部１５２の第２接続部１５２ａと係止部材１２０のロック部１２４ａとは相互に当接して電気的に接続し、コンタクト１１０の第２接触部１１５ａと第１接続対象物１５０とにより第２接続対象物１６０を挟持する。
【００６３】
第１接続対象物１５０がハウジング１３０内に収容されて収容部１３１において嵌合したときには、第１接続対象物１５０を収容状態でロックを行う係止部材１２０が、コンタクト１１０の接触力の反力を受ける。
【００６４】
したがって、第２接続対象物１６０の接点端子部１６１が底面になるように第１接続対象物１５０に重なる形で嵌合させることで、第１接触部１１４ａと第１接続部１５１ａ、第２接触部１１５ａと第２接続対象物１６０の接点端子部１６１とが接触し、第１接続部１５１ａと第２接続対象物１６０の接点端子部１６１の電気的接続を行う。
【００６５】
さらに、嵌合時には、係止部材１２０の接続部１２４ｂと係止部材１２０の第３接続部１５２ｂ，係止部材１２０の接触部１２５ａと第２接続対象物１６０の端子部１６３とが接触し、第３接続部１５２ｂと第２接続対象物１６０の端子部１６３との電気的接続を行う。
【００６６】
ハウジング１３０に第１及び第２接続対象物１５０，１６０を嵌合した後は、ハウジング１３０の上部の開口、第１及び第２側壁部１３０ａ，１３０ｂの外側を覆うようにシェル１７０を被せる。シェル１７０には、相対向する１対の側板部１７１に係合孔１７３が形成されている。シェル１７０の係合孔１７３は、ハウジング１３０の第１側壁部１３０ａの外面から突出するように形成されている係合部１３５に係合させることによって、シェル１７０がハウジング１３０に保持され、第１及び第２接続対象物１５０，１６０を保持する。
【００６７】
なお、コンタクト１１０の第１バネ部１１４は、上下方向の弾性変形能力が小さい場合があるので、コンタクト１１０の組み立て位置や第１接続対象物１５０の反りによって個々のコンタクト１１０の接触力のばらつきが大きくなる恐れがある。
【００６８】
そのため、例えば、コンタクト１１０は、ランス１１３により第１接続対象物１５０の嵌合方向Ａに所定距離だけ移動可能に組み付けてコンタクト１１０の接触力のばらつきを吸収する。
【００６９】
さらに、第１接続対象物１５０の係止部１５２は、第１接続対象物１５０の上面１５０ｂに位置させて第２接続部１５２ａを上面１５０ｂに設けて、コンタクト１１０のロック部１２４ａを当接するようにしてもよい。
【産業上の利用可能性】
【００７０】
本発明のソケットを含むコネクタ装置は、ＣＭＯＳカメラ用ソケットとしての用途にも適用できる。
【図面の簡単な説明】
【００７１】
【図１】本発明の実施例１におけるコネクタ装置を分解した状態で示した斜視図である。
【図２】図１に示したコネクタ装置を組み立てた状態を示す正面図である。
【図３】図２に示した第１接続対処物を除いた状態のコネクタ装置の平面図である。
【図４】図２に示したコネクタ装置の側面図である。
【図５】図２のV-V線断面図である。
【図６】（Ａ）は図３のVI-VI線断面図、（Ｂ）は係止部材の第１係止バネ部を拡大して示した斜視図である。
【図７】図１に示した第１接続対象物の正面図である。
【図８】図７に示した第１接続対象物の側面図である。
【図９】図７に示した第１接続対象物の底面図である。
【図１０】図１に示した第２接続対象物を拡大して示した裏面図である。
【図１１】本発明の実施例２におけるコネクタ装置を分解した状態で示した斜視図である。
【図１２】図１１に示したコネクタ装置を組み立てた状態を示す正面図である。
【図１３】図１２に示した第１接続対象物を除いた状態でコネクタ装置を示した平面図である。
【図１４】図１２に示したコネクタ装置の側面図である。
【図１５】図1２のXV-XV線断面図である。
【図１６】図１３のXVI-XVI線断面図である。
【図１７】図１１に示した第１接続対象物の平面図である。
【図１８】図１７に示した第１接続対象物の正面図である。
【図１９】図１７に示した第１接続対象物の側面図である。
【図２０】図１１に示した第２接続対象物を拡大して示した裏面図である。
【符号の説明】
【００７２】
１，１００    ソケット
１０，１１０    コンタクト
１１，１１１    保持部
１４，１１４    第１バネ部
１４ａ，１１４ａ    第１接触部
１５，１１５    第２バネ部
１５ａ，１１５ａ    第２接触部
２０，１２０    係止部材
２１，１２１    係止保持部
２４，１２４    第１係止バネ部
２４ａ，１２４ａ    ロック部
２４ｂ，１２４ｂ    接続部
２５，１２５    第２係止バネ部
２５ａ，１２５ａ    接触部
３０，１３０    ハウジング
３０ａ，１３０ａ    第１側壁部
３０ｂ，１３０ｂ    第２側壁部
３０ｃ，１３０ｃ    底部
３１，１３１    収容部
５０，１５０    第１接続対象物
５０ａ，１５０ａ    第１接続側壁部
５０ｃ，１５０ｃ    凹部
５１ａ，１５１ａ    第１接続部（電極）
５２，１５２    係止部
５２ａ，１５２ａ    第２接続部（電極）
５２ｂ、１５２ｂ    第３接続部（電極）
６０，１６０    第２接続対象物
６１，１６１    接点端子部
６２，１６２    配線パターン
６３，１６３    端子部
６５，１６５    フレキシブル基板
７０，１７０    シェル
１１３    ランス
１３２    ランス係止穴
【図１】
2007242598.tif 000003
【図２】
2007242598.tif 000004
【図３】
2007242598.tif 000005
【図４】
2007242598.tif 000006
【図５】
2007242598.tif 000007
【図６】
2007242598.tif 000008
【図７】
2007242598.tif 000009
【図８】
2007242598.tif 000010
【図９】
2007242598.tif 000011
【図１０】
2007242598.tif 000012
【図１１】
2007242598.tif 000013
【図１２】
2007242598.tif 000014
【図１３】
2007242598.tif 000015
【図１４】
2007242598.tif 000016
【図１５】
2007242598.tif 000017
【図１６】
2007242598.tif 000018
【図１７】
2007242598.tif 000019
【図１８】
2007242598.tif 000020
【図１９】
2007242598.tif 000021
【図２０】
2007242598.tif 000022